(57)【特許請求の範囲】
【請求項１】
軸筒に交換が可能な複数のリフィルが挿着され、そのリフィルの後方にスライダーが配置された筆記具であって、そのスライダーとリフィルとの間に継ぎ手部材を介在させ、また、前記スライダーに継ぎ手部材が挿着される孔を形成し、その孔の内面に平面部を形成すると共に、その平面部に対応するスライダーの外面部に曲面部を形成し、さらに、そのスライダーを透明、或いは、着色半透明な材質から構成したことを特徴とする筆記具。
【請求項２】
前記継ぎ手部材をリフィルに収納されるインキの色と同色としたことを特徴とする請求項１記載の筆記具。
【発明の詳細な説明】
【技術分野】
【０００１】
本発明は、軸筒に交換が可能な複数のリフィルが挿着され、そのリフィルの後方にスライダーが配置された筆記具に関するものであり、前記リフィルの一例としては、ボールペンリフィルやシャープペンシルユニットなどが挙げられる。
【背景技術】
【０００２】
一般的に、多芯筆記具のスライダーはリフィル（筆記体）のインキ色と同色となっている。その為、使用者の好みによってスライダーの色と異なるインキ色のリフィルを装着した場合、誤った筆記体を選択してしまう可能性があった。
そこで、スライダーに隆起部を別部材として設け、その隆起部を着脱自在にすることでリフィルのインキ色と同色の隆起部を容易に取り替えることができる多芯筆記具が発明された。
即ち、軸筒内に複数の筆記体を弾発部材により軸筒後端方向に付勢して配設し、各筆記体の後部に摺動体を該摺動体に設けた隆起部を軸筒の外方に突出させて連接し、隆起部を介して一つの摺動体を軸筒先端開口部方向にスライドすることにより、一つの摺動体の後端部に形成した係止部を軸筒に形成した止め部に係止して、一つの摺動体に連接した一つの筆記体の筆記先端部を軸筒先端開口部から突出した状態を維持し、隆起部を介して他の摺動体を軸筒先端開口部方向にスライドせしめることで、他の摺動体に形成した解除突起で、一つの摺動体に当接して止め部に係止していた一つの摺動体の係止部を係脱させ、一つの筆記先端部を軸筒先端開口部より没入させるとともに、他方の摺動体をさらに軸筒先端開口部方向にスライドすることにより他の係止部が止め部に係止して他の筆記体の筆記先端部の突出状態を維持する、筆記先端部を選択して出没可能なスライド式の複合筆記具において、前記隆起部を摺動体に着脱自在に装着したスライド式の複合筆記具である。
【特許文献１】特開２００３−０１１５８３号公報。
【発明の開示】
【発明が解決しようとする課題】
【０００３】
しかし、異なるインキ色の筆記体に交換するたびに隆起部も交換しなければならず、使用者にとっては手間がかかると共に、隆起部は小さな部品であるが故に、また、軸筒から露出した状態にあるが故に、紛失してしまう恐れが高く、紛失してしまった場合には、筆記体の出没操作が行えなくなってしまうと言う不具合が発生してしまう。
【課題を解決するための手段】
【０００４】
そこで、本発明は、軸筒に交換が可能な複数のリフィルが挿着され、そのリフィルの後方にスライダーが配置された筆記具であって、そのスライダーとリフィルとの間に継ぎ手部材を介在させ、また、前記スライダーに継ぎ手部材が挿着される孔を形成し、その孔の内面に平面部を形成すると共に、その平面部に対応するスライダーの外面部に曲面部を形成し、さらに、そのスライダーを透明、或いは、着色半透明な材質から構成したことを要旨とする。
【発明の効果】
【０００５】
本発明は、軸筒に交換が可能な複数のリフィルが挿着され、そのリフィルの後方にスライダーが配置された筆記具であって、そのスライダーとリフィルとの間に継ぎ手部材を介在させ、また、前記スライダーに継ぎ手部材が挿着される孔を形成し、その孔の内面に平面部を形成すると共に、その平面部に対応するスライダーの外面部に曲面部を形成し、さらに、そのスライダーを透明、或いは、着色半透明な材質から構成したので、その継ぎ手部材の紛失を極力防止することができると共に、スライダーにレンズ効果が発生するため、継ぎ手部材の色を容易に識別できるようになる。
また、請求項２によれば、リフィルに収納されるインキの色を容易に識別できるようになる。
【発明を実施するための最良の形態】
【０００６】
作用について説明する。継ぎ手部材が軸筒の内部に位置しているため、また、継ぎ手部材の前後がリフィルやスライダーに挿着しているため、その継ぎ手部材の紛失が防止される。
第１例を図１〜図５に示し説明する。黒色と赤色の２色からなるボールペンが摺動自在に配置されている多芯筆記具である。ボールペンばかりではなく、シャープペンシルを適宜組み合わせても良い。参照符号１は、軸本体であり、その軸本体１は、前軸２と後軸３とより構成されている。また、本例において、前軸２は、先部材４と中軸５の螺合構造により構成されているが、一体的に形成されていても良い。しかし、後述する筆記体の交換や成形の容易性を考慮すると２部材とし、着脱自在に固定した方が良い。また、前記先部材４の内径部には、先端側へ向かって徐々に径が小さくなる円錐部４ａが形成されている。そして、その先部材４の先端には、筆記体が出没する突出孔４ｂが形成されている。
【０００７】
前記後軸３には、その長手方向に２個のスリット６が形成されている。本例においては、２個のスリット６が形成されているが、筆記体であるボールペンの数が２本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外側に円弧部を有する半月形をした脚部８が形成されている。この脚部８は、スリット６が形成されることにより形成される。よって、筆記体の数によって脚部８の数は変わる。その脚部８の外接円径は、後軸３の最大外径よりも小さく形成されている。
符号９は、後軸３に一体的に形成されたクリップ部であるが、別部材で構成し後軸３に固定などしても良い。
【０００８】
前記後軸３のスリット６には、透明、或いは、着色された半透明な材質からなるスライダー１１が摺動自在に配置されている。このスライダー１１の長手方向の両側には、摺動突起１２が形成されており、前記スリット６に形成された摺動溝７に摺動可能に係合している。このスライダー１１の背面には、間隔をおいて２つの解除突起１３、１４が形成されており、また、スライダー１１の前方の内側には、長手方向に孔１１ａが形成されている。その孔１１ａの正面方向から見て内面には、平面部１１ｂが形成されており、その平面部１１ｂに対応するスライダー１１の外面には円弧状の曲面部１１ｃが形成されている。これら内面に形成された平面部１１ｂと外面に形成された曲面部１１ｃとによって光の屈折が発生しレンズ効果が得られるようになっている。
そして、スライダー１１の孔１１ａには、後述する筆記体に収納されるインキの色とほぼ同色な色を有した継ぎ手部材１５の一端部（後方部１５ａ）が着脱自在に挿着されており、その継ぎ手部材１５の他端部（前方部１５ｂ）には、ボールペンやシャープペンシルなどの筆記体１６が接続されている。ここで、前記スライダー１１は、透明、或いは、着色された半透明な材質で形成されているため、その内部に位置する前記継ぎ手部材１５の色を容易に識別することができる。これに加え、スライダー１１には平面部１１ｂと曲面部１１ｃが形成されているため、それによって得られるレンズ効果によって、前記継ぎ手部材１５の色をさらに容易に識別することができるようになる。
【０００９】
前記継ぎ手部材１５の中間部には、大径部１５ｃが形成されており、後方部１５ａの孔１１ａに対する過度な挿入と、前方部１５ｂの筆記体１６に対する過度な挿入が防止されている。また、継ぎ手部材１５の後方部１５ａには、スライダー１１の孔１１ａに対する挿着・嵌合を良好なものとなすために円周状の嵌合突起１５ｄが形成される一方、前方部１５ｂには筆記体１６に空気が侵入するための平面部１５ｅが形成されている。その平面部１５ｅは、９０の角度をもって4方に形成されている。即ち、継ぎ手部材１５の前方部１５ｂの横断面形状は、正方形状をなしている。また、４つの平面部１５ｅには、筆記体１６との良好な嵌合力を得るために突起１５ｆが部分的に形成されているが、突起同士が重ならないようになっている。前記インキの消費に伴う筆記体１６内部への空気の侵入を確実なものとしているのである。
尚、前記スライダー１１の前端部には、弾撥部材１７の外径部を保持する延出部１１ｄが形成されている。延出部１１ｄ間の長さは、弾撥部材１７外径よりも若干短く形成されており、これによって弾撥部材１７は延出部１１ｄに圧入された状態となっている。即ち、筆記体１６を交換する際にも弾撥部材１７がスライダー１１の前端部から外れないようになっている。また、前記スライダー１１の継ぎ手部材１５（後方部１５ａ）に対する挿着力（嵌合力）は、筆記体１６の継ぎ手部材１５（前方部１５ｂ）に対する挿着力（嵌合力）よりも弱く設定されている。即ち、筆記体１６をスライダー１１に対して離脱させようとすると、筆記体１６と継ぎ手部材１５が連結された状態でスライダー１１から離脱する。
参照符号１７は、筆記体１６並びに筆記体１６に接続するスライダー１１を後方に付勢するコイルスプリングなどの弾撥部材である。尚、本例における筆記体１６は、ボールペンとなっており、そのボールペン１６のリフィルが前記継ぎ手部材１５に接続されている。具体的には、黒、赤のインキが収納されたリフィルが接続されている。
【００１０】
前記前軸２の１部材である中軸５の中間部には、規制部１８が形成されており、その規制部１８には、筆記体１６が遊挿する２つの貫通孔１９が形成されており、前記規制部１８に弾撥部材１７の一端を係止させることにより、筆記体１６を後方に付勢している。また、中軸５の内側で、規制部１８の後方には、長手方向に２つの溝部２０が形成されており、この溝部２０に前記後軸３の脚部８が摺接され、組み立て時に脚部８が案内されるようになっている。また、その溝部２０は、脚部８の断面形状とほぼ同形をなしている。即ち、外側に円弧部を有する半月形となっている。
【００１１】
第２例を図１３、図１４に示し説明する。スライダー２１の孔２２と対応する側面の１部に長方形状の貫通孔２３を形成した例である。この貫通孔２３を通して継ぎ手部材１５の有無や色を確認することができる。
尚、本例においては、長方形状の貫通孔としているが、円形や楕円形状の貫通孔を複数形成しても良く、或いは、文字状の貫通孔など興趣性に富んだ形状としても良い。
【図面の簡単な説明】
【００１２】
【図１】本発明の１例を示す外観正面図。
【図２】図１の側面図。
【図３】図１の縦断面図。
【図４】図２の縦断面図。
【図５】図１の上面図。
【図６】図１のＸ−Ｘ線断面図。
【図７】図１のＹ−Ｙ線断面図。
【図８】図１のＺ−Ｚ線断面図。
【図９】筆記体と継ぎ手部材とスライダーとの連結状態を示す外観斜視図。
【図１０】図８における分解要部拡大図。
【図１１】スライダーの正面図。
【図１２】継ぎ手部材の外観斜視図。
【図１３】第２例を示す筆記体と継ぎ手部材とスライダーとの連結状態を示す外観斜視図。
【図１４】図１２のスライダーの拡大図。
【符号の説明】
【００１３】
１      軸本体
２      前軸
３      後軸
４      先部材
５      中軸
６      スリット
７      摺動溝
８      脚部
９      クリップ部
１１    スライダー
１２    摺動突起
１３    解除突起
１４    解除突起
１５    継ぎ手部材
１６    筆記体
１７    弾撥部材
１８    規制部
１９    貫通孔
２０    溝部
２１    スライダー
２２    孔
２３    貫通孔
【図１】
0005433983.tif 000002
【図２】
0005433983.tif 000003
【図３】
0005433983.tif 000004
【図４】
0005433983.tif 000005
【図５】
0005433983.tif 000006
【図６】
0005433983.tif 000007
【図７】
0005433983.tif 000008
【図８】
0005433983.tif 000009
【図９】
0005433983.tif 000010
【図１０】
0005433983.tif 000011
【図１１】
0005433983.tif 000012
【図１２】
0005433983.tif 000013
【図１３】
0005433983.tif 000014
【図１４】
0005433983.tif 000015